(57)【要約】      （修正有）【課題】簡易で扱いやすい刃物研ぎ器を提供する。【解決手段】第１の斜面３ｓと第１の斜面３ｓの下端と連通した平坦な第１の底面３ｃとを有し、第１の斜面３ｓと第１の底面３ｃとに連通された第１の側面３ａを二つ有する第１の台形部材３と、第１の斜面３ｓと対向して配置される第２の斜面５ｓと第２の斜面５ｓの下端と連通した第２の底面５ｃとを有し、第２の斜面５ｓと第２の底面５ｃとにより形成される第２の側面５ａを二つ有する第２の台形部材５と、第１の斜面３ｓと対向して第２の斜面５ｓとにより刃物の刃を挿入する一定の隙間ｇ１を形成し、第１及び第２の底面３ｃ、５ｃが面一となるように第１及び第２の側面３ａ、５ａの外側端部を固定する一対の固定部材７と、を備えたものである。【選択図】図１
2019150939.tif 000002
【特許請求の範囲】
【請求項１】
側面視柱状の台形で、平坦な第１の斜面と該第１の斜面の下端と連通した平坦な第１の底面とを有し、前記第１の斜面と前記第１の底面とに連通された第１の側面を二つ有する第１の台形部材と、
側面視柱状の台形で、前記第１の斜面と対向して配置される平坦な第２の斜面と該第２の斜面の下端と連通した平坦な第２の底面とを有し、前記第２の斜面と前記第２の底面とにより形成される第２の側面を二つ有する第２の台形部材と、
側面視Ｕ形の板状で、上面と下面を有しており、前記第１の斜面と対向して前記第２の斜面とにより刃物の刃を挿入する一定の隙間を形成し、前記第１及び第２の底面が面一となると共に、砥石の上部を収納するように、前記下面から第１及び第２の底面まで一定の距離を有して前記第１及び第２の側面の外側端部をそれぞれ固定する一対の固定部材と、
を備えたことを特徴とする刃物研ぎ器。
【請求項２】
側面視柱状の台形で、平坦な第１の斜面と該第１の斜面の下端と連通した平坦な第１の底面とを有し、前記第１の斜面と前記第１の底面とに連通された第１の側面を二つ有する第１の台形部材と、
側面視柱状の台形で、前記第１の斜面と対向して配置される平坦な第２の斜面と該第２の斜面の下端と連通した平坦な第２の底面とを有し、前記第２の斜面と前記第２の底面とにより形成される第２の側面を二つ有する第２の台形部材と、
板状で、上面と下面を有しており、前記第１の斜面と対向して前記第２の斜面とにより刃物の刃を挿入する一定の隙間を形成し、前記第１及び第２の底面が面一とし、砥石の上部を収納するように前記下面からから第１及び第２の底面まで一定の距離を有して前記第１、第２の側面の外側端部をそれぞれ固定する一対の第１の立設部材と、一対の第２の立設部材と、
前記第２の立設部材は、貫通された孔が設けられており、板状で前記第１の立設部材に一端部が固定され、他端部が前記孔に水平方向に摺動自在に挿入される一対の摺動部材と、を備え、
前記摺動部材の移動に基づいて前記隙間の間隔を変える、
ことを特徴とする刃物研ぎ器。
【発明の詳細な説明】
【技術分野】
【０００１】  本発明は、刃物研ぎ器に関するものである。
【背景技術】
【０００２】  従来の刃物研ぎ器は、下記特許文献１に記載のように、スライド面を有するベース板と、この上に設けられた砥石受け台と、スライド面でスライド可能に設けられたスライド台と、スライド台に支持板を介して保持され、刃物を載せて刃先が砥石に当接する刃物受け台と、刃物受け台の傾斜角度を変更可能な角度調整手段と、刃物受け台の側面に突出したストッパーと、を備えている。【０００３】  上記のように構成された刃物研ぎ器は、砥石を砥石受け台の上に固定し、刃物受け台の傾斜角度を刃物の刃先角度に合せる。刃物受け台に刃物を載せて刃先をストッパーに当て、作業者が刃物を押しつけながら刃物受け台を動かすことにより、刃物の刃先が砥石と接触しながら研がれる。
【先行技術文献】
【特許文献】
【０００４】
【特許文献１】特開平９−１９３０２８号公報
【発明の概要】
【発明が解決しようとする課題】
【０００５】  しかしながら、発明者は、上記刃物研ぎ器では、ベース板、砥石をスライド台と刃物受け台との間に設けられた砥石受け台の上に置いて、刃物受け台等をスライドしなければならす構成部品が多くなっているという課題を見出した。さらに、二つのストッパーに刃物の刃が当接するので、ストッパー間の間隔によって、刃の長さが制限されると共に、刃先がストッパーに当たるので、刃先の両端部が研ぎにくくなる。しかも、作業者が刃物を刃物受け台に押圧しながら、刃物受け台を砥石に対して前後方向に移動しつつ、刃物の刃先を砥石により研ぐことになるので、作業が煩わしかったという課題を見出した。【０００６】  本発明は、上記のような課題を解決するためになされたもので、簡易な構成で、ストッパーを不要にすると共に、刃物の刃先が研ぎ易い刃物研ぎ器を提供することを目的とする。
【課題を解決するための手段】
【０００７】  本発明に係る刃物研ぎ器は、側面視柱状の台形で、平坦な第１の斜面と該第１の斜面の下端と連通した平坦な第１の底面とを有し、前記第１の斜面と前記第１の底面とに連通された第１の側面を二つ有する第１の台形部材と、側面視柱状の台形で、前記第１の斜面と対向して配置される平坦な第２の斜面と該第２の斜面の下端と連通した平坦な第２の底面とを有し、前記第２の斜面と前記第２の底面とにより形成される第２の側面を二つ有する第２の台形部材と、側面視Ｕ形の板状で、上面と下面を有しており、前記第１の斜面と対向して前記第２の斜面とにより刃物の刃を挿入する一定の隙間を形成し、前記第１及び第２の底面が面一となると共に、砥石の上部を収納するように、前記下面から第１及び第２の底面まで一定の距離を有して前記第１及び第２の側面の外側端部をそれぞれ固定する一対の固定部材と、を備えたことを特徴とする。
上記刃物研ぎ器よれば、隙間に刃物の刃先を下方に挿入することにより、刃物の刃は、第１の斜面と第２の斜面とに挟まれて砥石により研ぎ作業する方向への移動が阻止される。刃先が第１及び第２の底面から僅かに突出し、砥石の天面と接触する。この状態で、作業者が刃物研ぎ器を砥石に対して、水平方向へ往復移動すると、容易に刃物の刃先を研げる。さらに、刃物を挿入する隙間が開放しているので、隙間に刃物を挿入し易く、刃の長い刃物も挿入可能となる。加えて、従来のようにストッパー部材もないことから、刃全体を砥石により容易に研ぐことができる。【０００８】  他の発明に係る刃物研ぎ器は、側面視柱状の台形で、平坦な第１の斜面と該第１の斜面の下端と連通した平坦な第１の底面とを有し、前記第１の斜面と前記第１の底面とに連通された第１の側面を二つ有する第１の台形部材と、側面視柱状の台形で、前記第１の斜面と対向して配置される平坦な第２の斜面と該第２の斜面の下端と連通した平坦な第２の底面とを有し、前記第２の斜面と前記第２の底面とにより形成される第２の側面を二つ有する第２の台形部材と、板状で、上面と下面を有しており、前記第１の斜面と対向して前記第２の斜面とにより刃物の刃を挿入する一定の隙間を形成し、前記第１及び第２の底面が面一とし、砥石の上部を収納するように前記下面からから第１及び第２の底面まで一定の距離を有して前記第１、第２の側面の外側端部をそれぞれ固定する一対の第１の立設部材と、一対の第２の立設部材と、前記第２の立設部材は、貫通された孔が設けられており、板状で前記第１の立設部材に一端部が固定され、他端部が前記孔に水平方向に摺動自在に挿入される一対の摺動部材と、を備え、前記摺動部材の移動に基づいて前記隙間の間隔を変える、ことを特徴とする。
上記刃物研ぎ器によれば、第１及び第２の斜面により形成された隙間の間隔を変更できるので、刃物の刃の厚さに応じて、刃をしっかり挟持しながら、砥石により刃物の刃先を容易に研ぐことができる。
【発明の効果】
【０００９】  本発明によれば、簡易な構成で、ストッパーを不要にすると共に、刃物の刃先が研ぎ易い刃物研ぎ器を得ることができる。
【図面の簡単な説明】
【００１０】
【図１】本発明の一実施の形態による刃物研ぎ器の斜視図である。
【図２】図１に示す刃物研ぎ器の平面図（ａ）、正面図（ｂ）、右側面図（ｃ）である。
【図３】図１に示す刃物研ぎ器を用いて刃物を研ぐ動作を示す説明図である。
【図４】本発明の他の実施の形態による刃物研ぎ器の斜視図である。
【発明を実施するための形態】
【００１１】実施の形態１．
本発明の一実施の形態を図１及び図２によって説明する。図１及び図２において、刃物研ぎ器１は、側面視台形形状の第１及び第２の台形部材３、５と、この第１及び第２の台形部材３、５の平坦な二つの側面３ａ、５ａの外側端部を固定する固定手段とを備えている。ここで、第１の台形部材３と第２の台形部材５とは、同一の大きさで、高さと幅と長さとが等しく形成されており、第１の台形部材３は、第１の底面３ｃが天面３ｂより長い方を下向きに配置し、第２の台形部材５は、第２の底面５ｃが天面５ｂより短い方を下向きに配置して、第１の台形部材３の第１の斜面３ｓと第２の台形部材の第２の斜面５ｓとが対向して、長方形の柱状で斜めに一定の隙間ｇ１を形成するように配置されている。この隙間ｇ１に刃物の刃が挿入される。
【００１２】  第１の台形部材３は、第１の側面３ａの上端と連通した平坦な第１の天面３ｂと、側面３ａの下端と連通した底面３ｃとを有している。第２の台形部材５は、第２の側面５ａの上端と連通した平坦な天面５ｂと、側面５ａの下端と連通した底面５ｃとを有している。第１の斜面３ｓの第１の傾斜角Θ１は、底面３ｃと第１の斜面３ｓに挟まれる角度で、鋭角であり、第２の斜面５ｓの第２の傾斜角Θ２は、天面５ｂと第２の斜面５ｓに挟まれる角度で、第１の傾斜角と同一に形成されている。第１の底面３ｃと、第２の底面５ｃとが面一で、第１の側面３ａの外側端部と第２の側面５ａの外側端部とをそれぞれ固定する側面視Ｕ形状で、上面と下面とを有する板状の一対の固定部材７を二つ備えている。ここで、固定部材７の下面から第１及び第２の底面３ｃ、５ｃまで、図２（ｃ）に示すように前記下面から一定の距離Ｌ１を有するように形成されている。図３に示す四角柱状の砥石５００の上部を収納するためである。
【００１３】  上記のように構成された刃物研ぎ器に刃物を装着して刃物を砥石により磨ぐ動作を図１及び図３を主にして説明する。まず、四角柱状の砥石５００を準備する。砥石５００の上に刃物研ぎ器１の第１及び第２の底面３ｃ、５ｃを載せると、一対の固定部材７の間に砥石５００の上部を収納する。この状態で、刃物研ぎ器１の隙間ｇ１に刃物の刃２００を挿入して刃物の刃先２００ａが第１及び第２の台形部材３、５の底面３ｃ、５ｃから僅かに突出させる。次に、刃物研ぎ器１を図３に示す実線から一点鎖線へと移動し、逆に一鎖線から実線へと移動すると、一対の固定部材７が砥石５００上を移動する際のガイドとなりつつ、第１の斜面３ｓと第２の斜面５ｓとにより刃物の刃２００を保持して、刃物の刃先２００ａを容易に研ぐことができる。
【００１４】実施の形態２．
本発明の他の実施の形態を図４によって説明する。図４中、図１と同一符号は、同一部分を示し、説明を省略する。図４において、刃物研ぎ器１０１は、隙間ｇ１の間隔を変更可能な調整機構を備えている。調整機構は、第１の台形部材３の二つの側面３ａの外側端部をそれぞれ固定する板状の一対の第１の立設部材５５と、第２の台形部材５の二つの側面５ａの外側端部をそれぞれ固定する一対の第２の立設部材５７とを備え、第２の立設部材５７の下部には、四角柱状の貫通孔５７ｅが設けられている。
【００１５】  さらに、調整機構は、四角柱で、一対の摺動部材５９の一端部が第１の立設部材５５の外側側面の下部に固定され、摺動部材５９の他端部が第２の立設部材５７の孔５７ｅに挿入されて摺動しながら移動することにより第２の台形部材５が水平移動して隙間ｇ１の間隔を調整できるように形成されている。刃物研ぎ器１０１は、第１及び第２の立設部材５５、５７の下面から第１及び第２の底面３ｃ、５ｃまで一定の距離Ｌ２を有するように形成されている。これにより、刃物の刃２００の厚さに対応して隙間ｇ１の間隔を変更できるので、隙間ｇ１に刃物の刃２００を挿入し易くなると共に、刃２００を第１及び第２の斜面３ｓ、５ｓによりしっかりと挟持できるので、研ぎ作業が容易となる。
なお、摺動部材５９を移動した後、第２の立設部材５７の外側側面からネジ孔を設けて、このネジ孔に螺子を螺合して摺動部材５９を固定しても良い。
【符号の説明】
【００１６】  １，１０１  刃物研ぎ器、３  第１の台形部材、３ｃ  第１の底面、３ｓ  第１の斜面、５  第２の台形部材、５ｃ  第２の底面、５ｓ  第２の斜面、７  固定部材、５５  第１の立設部材、５７  第２の立設部材、５９  摺動部材、ｇ１  隙間。
【図１】
2019150939.tif 000003
【図２】
2019150939.tif 000004
【図３】
2019150939.tif 000005
【図４】
2019150939.tif 000006